(57)【要約】【課題】  サンプル中の汚れに対する耐用が向上し、メンテナンスコストが低減されるりん酸自動測定装置を実現する。【解決手段】  洗浄切換バルブを具備する溶液測定装置において、  前記洗浄切換バルブに設けられ装置の測定時に洗浄液が貯留される洗浄管と、洗浄時に切換えられて前記キャリア液が前記洗浄管の洗浄液を押し出して前記検出器を洗浄するようにされた洗浄切換バルブとを具備したことを特徴とする溶液測定装置である。【選択図】                    図１
2005121458.tif 000002
【特許請求の範囲】
【請求項１】
洗浄切換バルブを具備する溶液測定装置において、
前記洗浄切換バルブに設けられ装置の測定時に洗浄液が貯留される洗浄管と、
洗浄時に切換えられてキャリア液が前記洗浄管の洗浄液を押し出して前記検出器を洗浄するようにされた洗浄切換バルブと
を具備したことを特徴とする溶液測定装置。
【請求項２】
前記洗浄切換バルブは１２方バルブが使用されたこと
を特徴とする請求項１記載の溶液測定装置。
【請求項３】
サンプル槽とサンプル切換バルブとの間に設けられた第２のフィルタと、
この第２のフィルタと前記サンプル切換バルブとの間に設けられ測定時にはサンプル液を前記第２のフィルタから前記サンプル切換バルブに流し洗浄時にはエアーで前記第２のフィルタの逆洗パージを行う第４の切換バルブと、
前記サンプル槽と前記第２のフィルタとの間に設けられ測定時にはサンプル液を前記サンプル槽から前記第２のフィルタに流し洗浄時には切換られて前記第２のフィルタの逆洗パージによるドレインを排出する第２の切換バルブと
を具備したことを特徴とする請求項１または請求項２記載の溶液測定装置。
【請求項４】
前記第２の切換バルブは３方電磁弁が使用されたこと
を特徴とする請求項３記載の溶液測定装置。
【請求項５】
前記第４の切換バルブは３方電磁弁が使用されたこと
を特徴とする請求項３記載の溶液測定装置。
【請求項６】
前記第２の切換バルブと前記第２のフィルタとの間に設けられ洗浄時には所定量のサンプル液を前記第２のフィルタを介して前記サンプル切換バルブに設けられた計量管に貯留し測定時には切換られて前記サンプル槽からのサンプル液をドレインから排出して前回使用されたサンプル液と置換する第３の切換バルブ
を具備したことを特徴とする請求項１乃至請求項５の何れかに記載の溶液測定装置。
【請求項７】
前記第３の切換バルブは３方電磁弁が使用されたこと
を特徴とする請求項６記載の溶液測定装置。
【請求項８】
前記溶液はりん酸であること
を特徴とする請求項１乃至請求項７の何れかに記載の溶液測定装置。
【発明の詳細な説明】
【技術分野】
【０００１】
本発明は、フローインジェクション分析法を用いた汚濁水中のりん酸濃度を測定する溶液測定装置において前処理フィルターの負荷軽減システムと、洗浄切換バルブを使用し二つのライン内の洗浄の両立化を図る溶液測定装置に関するものである。
【０００２】
ここで、フローインジェクション法とは、(FIA: Flow Injection Analysis JIS K0102工場排水試験方法の全りん測定法)数十μL程度のサンプル水を自動切換えバルブよりキャリア液中に注入し、発色試薬のモリブデン酸アンモニウム溶液とL-アスコルビン酸溶液を順次加えてゆき、発色されたりん酸イオンを可視吸光検出器(波長880 nm)で検出し、このピークの面積を演算し、全りん濃度とする測定法である。
【背景技術】
【０００３】
溶液測定装置に関連する先行技術文献としては次のようなものがある。
【非特許文献１】横河電機株式会社発行、納入仕様書「ＴＰ１０００／Ｚ形  りん酸自動測定装          置」、２００１年１月２９日、
【０００４】
このような装置において、ＴＫ１はオーバーフロータンクで,サンプルＡが導入される。
洗浄モード時においてサンプルＡは、金網フィルタＦ１、三方弁ＳＶ１、焼結金属フィルタＦ２を通って、サンプルバルブＭＶ１（６方切換）に設けられた計量管ＲＰ１に貯留されドレインとして排出される。
【０００５】
洗浄水Ｂは、洗浄バルブＭＶ２（６方切換）、インラインフィルタＦ３，サンプルバルブＭＶ１（６方切換）を通って、オーバーフロータンクＴＫ１に排出される。
洗浄水Ｂは、この場合は、次亜塩素酸ナトリウム水溶液が使用されている。
【０００６】
以上の構成において、
（１）まず、オーバーフロータンクＴＫ１にサンプルＡを取り込み、ダスト分を沈降分離させる。
（２）上澄み液をフィルタＦ１より採取し、フィルタＦ２を通してサンプルバルブＭＶ１に送液する。
【０００７】
（３）この場合は、フィルタＦ１は80μの金網フィルター、フィルタＦ２は10μの焼結金属フィルター、インラインフィルタＦ３は5μのテフロン（登録商標）多孔質フィルターを使用している。
（４）サンプルバルブＭＶ１（６方切換）,洗浄バルブＭＶ２（６方切換）が切換えられて、サンプル液Ａが、キャリア液Ｄに担送されて、検出器Ｋで測定が行なわれる。
【０００８】
（５）次に、三方弁ＳＶ１から、エアーＣによる逆洗パージを行ない、フィルタＦ１を洗浄する。
（６）フィルタＦ２は特に洗浄は行なわない。
（７）インラインフィルタＦ３は定期的にを使用して次亜塩素酸ナトリウム水溶液Ｂにて洗浄する。
【発明の開示】
【発明が解決しようとする課題】
【０００９】
しかしながら、このような装置においては、
サンプル自動切換バルブＭＶ１と洗浄切換バルブＭＶ２と２を使用したインラインフィルターＦ３の洗浄だと、検出器Ｋ側の洗浄が出来なかった。
【００１０】
検出器Ｋ側は、漏れ等を防止するためライン圧を保った状態で洗浄する必要があるために、洗浄時に末端がオーバーフロータンクＴＫ１において、大気に開放されているインラインフィルターＦ３とは一緒には洗浄できない。
沈降分離した上澄み液の採取分を、すべてフィルタＦ２を通してサンプルバルブＭＶ１に送液していたので、フィルタＦ２が頻繁に目詰まりを起こす。
【００１１】
本発明の目的は、上記の課題を解決するもので、ライン洗浄中もループに溜め込んだ洗浄水にて、検出器Ｋ内セルの洗浄も出来る様にする。
更に、フィルタＦ２の負荷を減らし、加えるに、エアーＣによる逆洗パージを行うことで、積極的に目詰まりを排除出来、サンプル中の汚れに対する耐用が向上し、メンテナンスコストが低減されたりん酸自動測定装置を提供することを目的とする。
【課題を解決するための手段】
【００１２】
このような課題を達成するために、本発明では、請求項１の溶液測定装置においては、
洗浄切換バルブを具備する溶液測定装置において、
前記洗浄切換バルブに設けられ装置の測定時に洗浄液が貯留される洗浄管と、洗浄時に切換えられてキャリア液が前記洗浄管の洗浄液を押し出して前記検出器を洗浄するようにされた洗浄切換バルブとを具備したことを特徴とする。
【００１３】
本発明の請求項２においては、請求項１記載の溶液測定装置において、
前記洗浄切換バルブは１２方バルブが使用されたことを特徴とする。
【００１４】
本発明の請求項３においては、請求項１または請求項２記載の溶液測定装置において、
サンプル槽とサンプル切換バルブとの間に設けられた第２のフィルタと、この第２のフィルタと前記サンプル切換バルブとの間に設けられ測定時にはサンプル液を前記第２のフィルタから前記サンプル切換バルブに流し洗浄時にはエアーで前記第２のフィルタの逆洗パージを行う第４の切換バルブと、前記サンプル槽と前記第２のフィルタとの間に設けられ測定時にはサンプル液を前記サンプル槽から前記第２のフィルタに流し洗浄時には切換られて前記第２のフィルタの逆洗パージによるドレインを排出する第２の切換バルブとを具備したことを特徴とする。
【００１５】
本発明の請求項４においては、請求項３記載の溶液測定装置において、
前記第２の切換バルブは３方電磁弁が使用されたことを特徴とする。
【００１６】
本発明の請求項５においては、請求項３記載の溶液測定装置において、
前記第４の切換バルブは３方電磁弁が使用されたことを特徴とする。
【００１７】
本発明の請求項６においては、請求項１乃至請求項５の何れかに記載の溶液測定装置において、
前記第２の切換バルブと前記第２のフィルタとの間に設けられ洗浄時には所定量のサンプル液を前記第２のフィルタを介して前記サンプル切換バルブに設けられた計量管に貯留し測定時には切換られて前記サンプル槽からのサンプル液をドレインから排出して前回使用されたサンプル液と置換する第３の切換バルブを具備したことを特徴とする。
【００１８】
本発明の請求項７においては、請求項６記載の溶液測定装置において、
前記第３の切換バルブは３方電磁弁が使用されたことを特徴とする。
【００１９】
本発明の請求項８においては、請求項１乃至請求項７の何れかに記載の溶液測定装置において、
前記溶液はりん酸であることを特徴とする。
【発明の効果】
【００２０】
本発明の請求項１によれば、次のような効果がある。
洗浄切換バルブに設けられ装置の測定時に洗浄液が貯留される洗浄管と、洗浄時に切換えられてキャリア液が洗浄管の洗浄液を押し出して検出器を洗浄するようにされた洗浄切換バルブとが設けられたので、インラインフィルターの洗浄とは別回路で、ライン圧を保った状態で検出器が洗浄出来、サンプル中の汚れに対する耐用が向上され、メンテナンスコストが低減できる溶液測定装置が得られる。
【００２１】
本発明の請求項２によれば、次のような効果がある。
洗浄切換バルブは１２方バルブが使用されたので、１個のバルブで良く、簡潔に構成出来て、安価な溶液測定装置が得られる。
【００２２】
本発明の請求項３によれば、次のような効果がある。
サンプル槽とサンプル切換バルブとの間に設けられた第２のフィルタと、この第２のフィルタとサンプル切換バルブとの間に設けられ測定時にはサンプル液を第２のフィルタからサンプル切換バルブに流し洗浄時にはエアーで逆洗パージを行う第４の切換バルブと、サンプル槽と第２のフィルタとの間に設けられ測定時にはサンプル液をサンプル槽から第２のフィルタに流し洗浄時には切換られて逆洗パージによるドレインを排出する第２の切換バルブとが設けられた。
【００２３】
従って、エアーによる逆洗パージを行うことで積極的に第２のフィルタの目詰まりが防止出来、サンプル中の汚れに対する耐用が向上され、メンテナンスコストが低減できる溶液測定装置が得られる。
【００２４】
本発明の請求項４によれば、次のような効果がある。
第２の切換バルブは３方電磁弁が使用されたので、３方電磁弁は市場性があり、容易に入手出来、安価な溶液測定装置が得られる。
【００２５】
本発明の請求項５によれば、次のような効果がある。
第４の切換バルブは３方電磁弁が使用されたので、３方電磁弁は市場性があり、容易に入手出来、安価な溶液測定装置が得られる。
【００２６】
本発明の請求項６によれば、次のような効果がある。
第２の切換バルブと第２のフィルタとの間に設けられ洗浄時には所定量のサンプル液を第２のフィルタを介してサンプル切換バルブに設けられた計量管に貯留し、測定時には切換られてサンプル槽からのサンプル液をドレインから排出して前回使用されたサンプルと置換する第３の切換バルブとが設けられた。
【００２７】
従って、第２のフィルタには計測に必要な分のサンプルのみが流れ、第２のフィルタの負荷が軽減出来て、メンテナンスコストを低減できる溶液測定装置が得られる。
しかも、前回使用されたサンプルと置換出来るので、測定精度が向上された溶液測定装置が得られる。
【００２８】
本発明の請求項７によれば、次のような効果がある。
記第３の切換バルブは３方電磁弁が使用されたので、３方電磁弁は市場性があり、容易に入手出来、安価な溶液測定装置が得られる。
【００２９】
本発明の請求項８によれば、次のような効果がある。
前記溶液はりん酸であるのでより効果的な溶液測定装置が得られる。
【発明を実施するための最良の形態】
【００３０】
以下本発明を図面を用いて詳細に説明する。
図１は本発明の一実施例の要部構成説明図である。
図において、図２と同一記号の構成は同一機能を表す。
以下、図２と相違部分のみ説明する。
【００３１】
図において、洗浄管ＲＰ２は、洗浄切換バルブＭＶ１１に設けられ、装置の測定時に洗浄液Ｂが貯留される。
洗浄切換バルブＭＶ１１は、洗浄時に切換えられて、キャリア液Ｄが洗浄管ＲＰ２の洗浄液Ｂを押し出して、検出器Ｋを洗浄するようにされている。
この場合は、洗浄切換バルブＭＶ１１は１２方バルブが使用されている。
【００３２】
第２のフィルタＦ２は、サンプル槽ＴＫ１とサンプル切換バルブＭＶ１との間に設けられている。
第４の切換バルブＳＶ４は、第２のフィルタＦ２とサンプル切換バルブＭＶ１との間に設けられ、測定時にはサンプル液Ａを第２のフィルタＦ２からサンプル切換バルブＭＶ１に流し、洗浄時にはエアーＣで第２のフィルタ第２のフィルタの逆洗パージを行う。
【００３３】
第２の切換バルブＳＶ２は、サンプル槽ＴＫ１と第２のフィルタＦ２との間に設けられ、測定時にはサンプル液Ａをサンプル槽ＴＫ１から第２のフィルタＦ２に流し、洗浄時には切換られて第２のフィルタ第２のフィルタの逆洗パージによるドレインを排出する。
この場合は、第２の切換バルブＳＶ２は３方電磁弁が使用されている。
この場合は、第４の切換バルブＳＶ４は３方電磁弁が使用されている。
【００３４】
第３の切換バルブＳＶ３は、第２の切換バルブＳＶ２と第２のフィルタＦ２との間に設けられ、洗浄時には所定量のサンプル液Ａを第２のフィルタＦ２を介してサンプル切換バルブＭＶ１に設けられた計量管ＰＲ１に貯留し、測定時には切換られてサンプル槽ＴＫ１からのサンプル液Ａをドレインから排出して、前回使用されたサンプル液Ａと置換する。
この場合は、第３の切換バルブＳＶ３は３方電磁弁が使用されている。
【００３５】
以上の構成において、
（１）サンプル液ＡをオーバーフロータンクＴＫ１に呼び込み、沈降分離させる。
（２）上澄み液をフィルタＦ１を通して採取し、しばらく第３の切換バルブＳＶ３のドレン側に排出させる。
【００３６】
（３）第２のフィルタＦ２の置換に必要最小量のみサンプルＡを、第２のフィルタＦ２を通してサンプル切換バルブＭＶ１に送液する。
（４）サンプルバルブＭＶ１（６方切換）,洗浄バルブＭＶ１１（１１方切換）が切換えられて、サンプル液Ａが、キャリア液Ｄに担送されて、検出器Ｋで測定が行なわれる。
【００３７】
（５）第２のフィルタＦ２を、第４の切換バルブＳＶ４側から第２の切換バルブＳＶ２のドレンに対してエアーＡにて逆洗パージを行う。
（６）一方、オーバーフロータンクＴＫ１のサンプル液Ａを水と入れ替え、オーバーフロータンクＴＫ１に使用済み洗浄液として流れ込んだ次亜塩素酸ナトリウム水溶液と共に呼び込み洗浄する。
【００３８】
この結果、
洗浄切換バルブＭＶ１１に設けられ、装置の測定時に洗浄液Ｂが貯留される洗浄管ＲＰ２と、洗浄時に切換えられて、キャリア液Ｄが洗浄管ＲＰ２の洗浄液Ｂを押し出して、検出器Ｋを洗浄するようにされた洗浄切換バルブＭＶ１１とが設けられたので、インラインフィルターＦ３の洗浄とは別回路で、ライン圧を保った状態で検出器Ｋが洗浄出来、サンプル中の汚れに対する耐用が向上され、メンテナンスコストが低減できる溶液測定装置が得られる。
【００３９】
洗浄切換バルブは１２方バルブが使用されたので、１個のバルブで良く、簡潔に構成出来て、安価な溶液測定装置が得られる。
なお、６方バルブ２個に対して１２方バルブ１個を使用すれば、たとえば、約５万円のコストダウンが可能になる。
【００４０】
サンプル槽とサンプル切換バルブとの間に設けられた第２のフィルタと、この第２のフィルタとサンプル切換バルブとの間に設けられ測定時にはサンプル液を第２のフィルタからサンプル切換バルブに流し洗浄時にはエアーで逆洗パージを行う第４の切換バルブと、サンプル槽と第２のフィルタとの間に設けられ測定時にはサンプル液をサンプル槽から第２のフィルタに流し洗浄時には切換られて逆洗パージによるドレインを排出する第２の切換バルブとが設けられた。
従って、エアーによる逆洗パージを行うことで積極的に第２のフィルタの目詰まりが防止出来、サンプル中の汚れに対する耐用が向上され、メンテナンスコストが低減できる溶液測定装置が得られる。
【００４１】
第２の切換バルブは３方電磁弁が使用されたので、３方電磁弁は市場性があり、容易に入手出来、安価な溶液測定装置が得られる。
【００４２】
第４の切換バルブは３方電磁弁が使用されたので、３方電磁弁は市場性があり、容易に入手出来、安価な溶液測定装置が得られる。
【００４３】
第２の切換バルブと第２のフィルタとの間に設けられ洗浄時には所定量のサンプル液を第２のフィルタを介してサンプル切換バルブに設けられた計量管に貯留し、測定時には切換られてサンプル槽からのサンプル液をドレインから排出して前回使用されたサンプルと置換する第３の切換バルブとが設けられた。
【００４４】
従って、第２のフィルタには計測に必要な分のサンプルのみが流れ、第２のフィルタの負荷が軽減出来て、メンテナンスコストを低減できる溶液測定装置が得られる。
しかも、前回使用されたサンプルと置換出来るので、測定精度が向上された溶液測定装置が得られる。
【００４５】
記第３の切換バルブは３方電磁弁が使用されたので、３方電磁弁は市場性があり、容易に入手出来、安価な溶液測定装置が得られる。
【図面の簡単な説明】
【００４６】
【図１】本発明の一実施例の要部構成説明図である。
【図２】従来の溶液測定装置の一例を示す要部構成説明図である。
【符号の説明】
【００４７】
Ａ        サンプル液
Ｂ        洗浄液
Ｃ        エアー
Ｄ        キャリア液
Ｆ１      第１のフィルタ
Ｆ２      第２のフィルタ
Ｆ３      インラインフィルタ
Ｋ        検出器
ＭＶ１    詰まり判断手段
ＭＶ１１  劣化判断手段
ＲＰ１    計量管
ＲＰ２    洗浄管
ＳＶ１    第１の切換バルブ
ＳＶ２    第２の切換バルブ
ＳＶ３    第３の切換バルブ
ＳＶ４    第４の切換バルブ
【図１】
2005121458.tif 000003
【図２】
2005121458.tif 000004